【事件の表示】
　特願２００７−２２３２２９「収納装置」拒絶査定不服審判事件〔平成２０年　１月２４日出願公開，特開２００８−　１２３２７〕について，次のとおり審決する。
【結　論】
　本件審判の請求は、成り立たない。
【理　由】
第１　手続の経緯
　本願は，平成１７年２月１６日に出願した特願２００５−３９２８５号の一部を平成１９年８月２９日に新たな特許出願としたものであって，平成２２年３月２５日付けで拒絶査定がなされ，これに対し，同年７月２２日に拒絶査定不服審判の請求がなされ，同時に手続補正がなされたものである。
  その後，平成２２年１０月２８日付けで，審判請求人に前置報告書の内容を示し意見を求めるための審尋を行ったところ，請求人から応答はなかった。
　
第２　平成２２年７月２２日付けの手続補正についての補正の却下の決定
［補正の却下の決定の結論］
　平成２２年７月２２日付けの手続補正（以下，「本件補正」という。）を却下する。
　
［理由］
１　補正の内容
　本件補正には，特許請求の範囲を，次のとおりに補正しようとする補正事項が含まれている（補正箇所に下線を付した。）。
（補正前：平成２２年３月８日付け手続補正により補正された特許請求の範囲）
「【請求項１】
　左右両側板の上面に天板が結合されてなる横勝ち納めの枠体と、
　その枠体の背面側に設けられた取付板と、
　前記枠体内に設けられ、枠体内空間を左右に分割する一又は二以上の仕切板と、
　その仕切板と前記側板の間、又は／及び、隣接する仕切板間に設けられた一又は二以上の棚板と、からなり、しかも地板のない収納装置であって、
　前記仕切板は、前記天板の下面と取付板の前面にそれぞれ着脱可能な結合部材によって固定されるとともに、床面に固定部材を使用しての固定はされていないもので、前記仕切板の取付位置を、前記枠体内の左右方向の所定位置に変更可能にし、しかも、前記仕切板は、少なくとも一枚の、着脱可能な結合部材によって固定される固定用の棚板によって、前記隣接する仕切板又は前記側板に必ず固定されるようにし、さらに前記側板と前記仕切板の間の幅一杯、又は／及び、前記仕切板が二以上の場合における隣接する前記二つの仕切板間の幅一杯まで収納ボックスを出し入れできるような空間を形成したことを特徴とする収納装置。
　【請求項２】
　左右両側板の上部側面に天板の側面が結合されてなる縦勝ち納めの枠体と、
　その枠体の背面側に設けられた取付板と、
　前記枠体内に設けられ、枠体内空間を左右に分割する一又は二以上の仕切板と、
　その仕切板と前記側板の間、又は／及び、隣接する仕切板間に設けられた一又は二以上の棚板と、からなり、しかも地板のない収納装置であって、
　前記仕切板は、前記天板の下面と取付板の前面にそれぞれ着脱可能な結合部材によって固定されるとともに、床面に固定部材を使用しての固定はされていないもので、前記仕切板の取付位置を、前記枠体内の左右方向の所定位置に変更可能にし、しかも、前記仕切板は、少なくとも一枚の、着脱可能な結合部材によって固定される固定用の棚板によって、
前記隣接する仕切板又は前記側板に必ず固定されるようにし、さらに前記側板と前記仕切板の間の幅一杯、又は／及び、前記仕切板が二以上の場合における隣接する前記二つの仕切板間の幅一杯まで収納ボックスを出し入れできるような空間を形成したことを特徴とする収納装置。
　【請求項３】
　前記取付板は、前記枠体の背面側の下部に設けられた水平に延びる板材であることを特徴とする請求項１又は２に記載の収納装置。
　【請求項４】
　前記取付板は、水平に延びる上下２本の板材であり、壁面に固定可能であることを特徴とする請求項１乃至３のうちいずれか一つに記載の収納装置。」を
（補正後）
「【請求項１】
　左右両側板の上面に天板が結合されてなる横勝ち納め
又は左右両側板の上部側面に天板の側面が結合されてなる縦勝ち納め
　その枠体の背面側に設けられた取付板と、
　前記枠体内に設けられ、枠体内空間を左右に分割する一又は二以上の仕切板と、
　その仕切板と前記側板の間、又は／及び、隣接する仕切板間に設けられた一又は二以上の棚板と、からなり、しかも地板のない収納装置であって、
　前記仕切板は、前記天板の下面と取付板の前面にそれぞれ着脱可能な結合部材によって固定されるとともに、床面に固定部材を使用しての固定はされていないもので、前記仕切板の取付位置を、前記枠体内の左右方向の所定位置に変更可能にし、しかも、前記仕切板は、少なくとも一枚の、着脱可能な結合部材によって固定される固定用の棚板によって、前記隣接する仕切板又は前記側板に必ず固定されるようにし、さらに
前記仕切板の下面には前記仕切板の厚さよりはみ出す固定部材を設けることなく、
　【請求項２】
　前記取付板は、前記枠体の背面側の下部に設けられた水平に延びる板材であることを特徴とする請求項１に記載の収納装置。
　【請求項３】
　前記取付板は、水平に延びる上下２本の板材であり、壁面に固定可能であることを特徴とする請求項１又は２に記載の収納装置。」と補正する。
　
２　補正の適否の判断（補正の目的）
　上記本件補正後の請求項１に係る補正は，補正前の請求項１に係る発明である「左右両側板の上部側面に天板の側面が結合されてなる横勝ち納めの枠体」を有する収納装置に，補正前の請求項２の「左右両側板の上部側面に天板の側面が結合されてなる縦勝ち納めの枠体」を有する収納装置を付加するものであり，この補正事項により，補正後の請求項１に係る発明は，補正前の請求項１に係る発明である「横勝ち納めの枠体」を有する収納装置だけでなく，「縦勝ち納めの枠体」を有する収納装置も含むものとなった。
　したがって，上記補正事項は，平成１８年法律第５５号改正附則第３条第１項によりなお従前の例によるとされる同法による改正前の特許法（以下，「平成１８年改正前特許法」という。）第１７条の２第４項に掲げる何れの事項（請求項の削除，特許請求の範囲の減縮，誤記の訂正，明りょうでない記載の釈明）を目的とするものにも該当しない。
　
３　むすび
　したがって，本件補正は，平成１８年改正前特許法第１７条の２第４項の規定に違反するので，同法第１５９条第１項において読み替えて準用する同法第５３条第１項の規定により却下すべきものである。
　
第３　本願発明について
１　本願発明
　平成２２年７月２２日付けの手続補正は上記のとおり却下されたので，本願の請求項１ないし４に係る発明は，平成２２年３月８日付け手続補正書の特許請求の範囲の請求項１ないし４に記載された事項により特定される，上記「第２　１（補正前）」に記載したとおりのものと認める。
　以下，請求項１に係る発明を「本願発明」という。
　
２　刊行物及びその記載内容
（１）原審の拒絶の理由に引用され，本願の出願前に頒布された特開２００３−１６９７２３号公報（以下，「刊行物１」という。）には，次のことが記載されている（下線は当審付与。）。
（１ａ）「【０００１】【発明の属する技術分野】本発明は、側板と天板とを連結した家具本体を備える家具に関する」、
（１ｂ）「【００１４】・・・図１、図２には第一実施形態の家具である食器棚の分解斜視図および正面図が示されている。図１、図２において、食器棚１０は家具本体１１、背板２１、仕切板２２および家具ユニットである引出ユニット２３から構成されている。」
（１ｃ）「【００１６】家具本体１１は、
２枚の側板１２が略鉛直に延びて互いに対向して配置され、これら側板１２の上端同士を天板１３が連結することで、開口部を下に向けたコ字形の骨組みが構成される。
（１ｄ）「【００１８】
背板２１は、家具本体１１の背面を覆う大きさを有する木質の板材で形成され、側板１２および天板１３にねじ止め等により固定されている。
（１ｅ）「【００２０】図２に示すように、食器棚１０は、側板１２と仕切板２２とに棚板２４が架け渡されて、食器類を収納する棚として使用される。あるいは、側板１２と仕切板２２との間に、冷蔵庫２５等を組み入れて利用される。・・・」、  
（１ｆ）「【００２１】食器棚１０の製造方法は、先ず、所定の長さ寸法に切断された側板１２および天板１３の接合面１２Ａおよび１３Ａの留め加工を行う。２枚の側板１２を所定の間隔をあけて対向配置し、それらの上部に天板１３をそれぞれの接合面同士を密接させて組み合わせ、内側から連結金物１４を当接し、ねじ１５により固定する。以上で、コ字形の骨組みを備える家具本体１１が形成される。 
【００２２】次に、この
家具本体１１の背面に、背板２１を側板１２および天板１３に取り付ける。更に、仕切板２２を天板１３および背板２１に取り付ける。
家具ユニットである引出ユニット２３を、側板１２および仕切板２２の間に挟み入れ、それらの側板１２および仕切板２２と背板２１とに固定する。
（１ｇ）「【００３１】次に、第三実施形態について図４に基づき説明する。図４(Ａ)において、第三実施形態の家具は、家具本体４１および家具ユニットである引出ユニット４５、４６で形成される机部４７と、別置きの鏡４８とで構成されるドレッサー４０である。家具本体４１に使用される板材およびその加工方法と連結方法とは、第一実施形態の家具本体１１の場合と同様である。 
【００３２】家具本体４１は、２枚の側板４２とそれらの上部を連結する天板４３とで、開口部を下にしたコ字形に形成される。家具本体４１の内部には、天板４３の下面に引出ユニット４５が取り付けられ、一方の側板４２の内側に引出ユニット４６が設置されている。 
【００３３】引出ユニット４５は、木質の板材を組み合わせて箱状に形成した箱体（図示しない）と、この箱体の前面から挿入される引出４５Ｂとから形成される。引出ユニット４６も同様に、箱体(図示しない)と引出４６Ｂとから形成される。引出ユニット４６Ｂの下面には、引出ユニット４６を移動可能にするキャスター４６Ｃが取り付けられている。・・・」。 
　
　上記記載事項（１ａ）〜（１ｇ）及び図面の記載からみて，刊行物１には，以下の発明が記載されているものと認められる。  
 「２枚の側板の上端同士を天板で連結してなる，開口部を下に向けたコ字形の骨組みと，
　側板１２および天板１３に固定されている背板２１と，
　天板１３および背板２１にねじ止め等により固定され，上記骨組み内を左右に分割する仕切板２２と，
　その仕切板２２と前記側板１２の間に架け渡された棚板２４とを備える家具であって，
 　一方の側板１２および仕切板２２との間に引出ユニット，開放ユニット又は収納ユニットを固定し，他方の側板１２および仕切板２２との間を冷蔵庫等が出し入れ可能な収納部とした家具。」（以下，「刊行物１記載の発明」という。）  
　
（２）原審の拒絶の理由に引用され，本願の出願前に頒布された実公昭６２−２８１９４号公報（以下，「刊行物２」という。）には，次のことが記載されている。
（２ａ）「＜産業上の利用分野＞
  本考案はコンピユータ用テーブルの脇棚に関するものであつて、脇棚の横幅を使用する機種によつて任意に変更できるように、脇棚の側板に対向して可動板を設け、この可動板を長穴の任意位置へ螺着可能とした点に特徴を有している。」（１欄１３〜１８行），
（２ｂ）「＜従来の技術及び問題点＞  
 　コンピユータ用機器は製造メーカー、機種等によつて大きさが異なる。従つて、これを収容するテーブル脇棚もその横幅が任意に変えられると好都合である。従来のように脇棚の横幅が一定の場合には、幅が広すぎると見苦しいし、逆に狭い場合には機器を収容することができない。  
 ＜問題点を解決するための手段＞  
 　そこで本考案においては、脇棚の横幅が簡単に調節できるものとし、しかも強固な構造のものとしたのである。その構造は天板１の下面に装着された両側板２、２’のうち一方の側板２’と前面板３及び前記側板２’に対向する可動板４とによつて天板下部に脇棚を形成し、前記可動板４は前記天板１と前面板３又は足置桟５に設けた長穴調節部Ａ，Ｂ，Ｃの表面長穴６と長穴調節部Ａ，Ｂ，Ｃ内部に平行に設けられた間隙内を摺動可能なねじ受８へ可動板４の縁部１２に設けられたねじ挿通穴１０からねじ９を挿通して螺着したことを特徴とするものである。」（１欄１９行〜２欄１０行），  
（２ｃ）「このことを更に脇棚内に収容する機種に合わせて可動板４を最適な位置に固定する場合を例にして詳細に説明する。まず最初に可動板４を両側板２，２’間の最適な位置へ左右いずれかへ移動させ、同時に可動板４の縁部１２に設けられたねじ挿通穴１０と長穴調節部Ａ，Ｂ，Ｃの長穴６を合わせ、この時、その内部のねじ受８がその位置にない場合には摺動させて、前記ねじ挿通穴１０の位置へ移動させる。このように長穴６を挟んで可動板４のねじ挿通穴１０と、足置桟５、前面板３、天板１のそれぞれに設けられた長穴調節部Ａ，Ｂ，Ｃのねじ受８が同位置になった時、ねじ９を螺入して固着するのである。ねじ受を長穴調節部内へ多数個用意しておかなくても、また、長穴調節部のどのような位置でも固定できる作用がある。可動板４の取付位置を微調整する場合でも、ねじ９を緩めるだけで左右に可動板４を移動させればねじ受８が追従して移動するので、最適な位置でねじ９を締付けさえすれば、調整作業を終えることができる。」（３欄２６行〜４欄１３行）。
　
　上記記載事項（２ａ）〜（２ｃ）の記載，及び，図面の記載からみて，刊行物２には以下の発明が記載されているものと認められる。  
 「天板の下面に装着された両側板のうち一方の側板と前面板及び側板に対向する可動板とによつて天板下部に脇棚を形成したコンピュータ用テーブルにおいて，脇棚の横幅を変更するために，前面板及び足置桟に設けた摺動可能なねじ受に対して，可動板をそのねじ挿通孔からねじ９を挿通して螺着することによって，位置変更可能に固定できるようにしたコンピュータ用テーブル。」（以下，「刊行物２記載の発明」という。）
　
（３）原審の拒絶の理由に引用され，本願の出願前に頒布された登録実用新案第３０１１０５６号公報（以下，「刊行物３」という。）には，次のことが記載されている。
（３ａ）「【請求項１】左右両側端に直立させる側板と、これらの左右側板の間を仕切る中仕切板と、前記左右側板及び中仕切板上に固定させる天板と、前記左右側板と中仕切板とを適宜高さ位置で固定させる固定棚と、前記左右側板と中仕切板との間に配置させる可動棚、引出し、バスケット及びハンガーパイプとからなり、  
 　さらに、前記左右側板及び中仕切板の所定個所に固定棚及び可動棚を支持させるダボ孔と、引出し用スライドレール、バスケットレール、ハンガーパイプ等の取付用下孔を設けて構成される組立式収納セット。」，
（３ｂ）「【０００１】
【産業上の利用分野】
　本考案は、建て付けのクローゼットや押入れのように決まったスペースを有効にしかも使い勝手よく使うための組立式収納セットに関するものである。」，  
（３ｃ）「【０００５】
【作用】  
　クローゼットや押入れのスペースに合わせて左右両側端に側板を立設し、さらにこれらの左右側板の間を適宜の間隔で仕切板で仕切り、仕切られた空間に収納目的に合わせて固定棚や可動棚を配し、引出しやバスケットを装着し、さらにハンガーパイプを取り付けて使用することで収納効率を上げると共に、使い勝手をよくする。」，
（３ｄ）「【０００６】
【実施例】
　以下に本考案の一実施例を図面と共に説明する。図において１，１は左右の両側端に直立させる側板であり、２はこれらの左右側板１，１の中間を仕切って区画する中仕切板である。これらの各側板１，１及び仕切板２は例えば、奥行きを４３２ｍ／ｍとし、高さを７００，１５００，１８００ｍ／ｍとして定尺に形成される。
　これらの左右側板１，１及び中仕切板２には所定位置に固定棚９及び可動棚１１の両端を支持させるダボ孔３と、引出し用スライドシール２３，バスケットレール２９，ハンガーパイプ１４を取り付けるための下孔４を複数設けている。
【０００７】
　５は前記左右側板１，１及び中仕切板２の上端に被せて固定させる天板である。この天板５は例えば奥行きを５９０ｍ／ｍ，横巾を８３０，１３７０，１９１０ｍ／ｍとして定尺に形成され、これを使用するスペースに合わせてカットして使用するが、横巾が１８００ｍ／ｍ以上の場合は端面に設けたダボ孔６，６にダボ７，７を打ち込んで接続する。また、側面に所定間隔にて前後２列にダボ孔８を設けている。
【０００８】
　９は前記左右側板１，１及び中仕切板２とを所定の高さ位置で連結する固定棚であり、例えば奥行きを４３０ｍ／ｍ，横巾を２５０，５２０，７９０，１０６０ｍ／ｍとして定尺に形成され、左右の両側端に前記ダボ１０，１０を打ち込んでいる。
　１１は前記左右側板１，１と中仕切板２との間に高さ位置変更自在に配置させる可動棚であり、その寸法は前記固定棚９と同寸に形成される。
【０００９】
　１２は前記左右側板１，１と中仕切板２との間で引き出し自由に使用される引出しである。この引出し１２は例えば高さを１３５ｍ／ｍと１９５ｍ／ｍの２種類，前板の横巾を２６６，５３６，８１６，１０７６ｍ／ｍとして定寸に形成される。」，
（３ｅ）「【００１４】
　図６ないし図９に本考案に係わる組立式収納セットの収納目的に合わせた組み付けの実際が例示されている。図６ないし図８はそれぞれクローゼットでの使用であり、図９は押入れでの使用例である。  
　図６において３７はクローゼットの枠体であり、該枠体３７の前面に取り付けられる観音開き等の扉は図示を省略している。そして、左右の側板１，１の間を３枚の中仕切板２で仕切って４区画とし、左端の区画では横巾の広い引出し１２を高さの低いもの４個、高さの高いもの２個装着し、左から２番目の区画では上部に直杆状のハンガーパイプ１４を取り付けて洋服を吊り下げるスペースとしている。そして、左から３番目の区画では横巾の狭い引出し１２を高さの低いものを４個、高さの高いものを２個装着し、右側の区画では中央に固定棚９を、そしてこの固定棚９の上下に可動棚１１，１１を１枚ずつ配置している。」。
　
　上記記載事項（３ａ）〜（３ｅ）の記載，及び，図面の記載からみて，刊行物３には以下の発明が記載されているものと認められる。  
 「左右両側端に直立させる側板と，左右側板の間を仕切る中仕切板と，前記左右側板及び中仕切板上に固定させる天板と，前記左右側板と中仕切板との間，及び，仕切板が二以上の場合における隣接する前記二つの仕切板間に配置させる固定棚，可動棚，引出し，バスケット及びハンガーパイプとからなる組立式収納セットにおいて，固定棚，引出しは，長さの異なるものを用意し，中仕切板を左右側板の間が適宜の間隔となるように取り付けるとともに，中仕切板と左右側板との間、及び，二つの仕切板間を，適宜の長さの固定棚によって固定する組立式収納セット。」（以下，「刊行物３記載の発明」という。）  
　
３　対比
　本願発明と上記刊行物１記載の発明とを対比する。
　刊行物１記載の発明の「２枚の側板１２」が本願発明の「左右両側板」に相当し，以下同様に，「骨組み」が「枠体」に，「背板２１」が「取付板」に，「家具」が「収納装置」に，それぞれ相当している。
　また，刊行物１記載の発明の「仕切板」は，天板１３および背板２１にねじ止め等により固定されるものであるから，「着脱可能な結合部材によって固定される」ものといえる。
　そして，刊行物１記載の発明の「家具」は，組み立て家具であって，任意の位置に設置されるものであり，刊行物１には該「家具」を床面に固定することを示唆する記載もないから，刊行物１記載の発明の「家具」の「２枚の側板」，「背板２１」及び「仕切板２２」は，いずれも床面に固定部材を使用して固定されていないものと解するのが自然である。
　また，刊行物１記載の発明と，本願発明とは，いずれも「枠体と取付板と仕切板と棚板とを「備えている」点において共通する。
  
　したがって，両者は，
「左右両側板の上面に天板が結合されてなる枠体と，
　その枠体の背面側に設けられた取付板と，
　前記枠体内に設けられ，枠体内空間を左右に分割する一の仕切板と，
　その仕切板と前記側板の間に設けられた一の棚板と，を備え，しかも地板のない収納装置であって，
　前記仕切板は，前記天板の下面と取付板の前面にそれぞれ着脱可能な結合部材によって固定されるとともに，床面に固定部材を使用しての固定はされていない収納装置。」である点で一致し，次の点で相違する。
（相違点１）
　枠体が，本願発明では「横勝ち納め」であるのに対し，刊行物１記載の発明では，このようなものに限定されておらず，実施例では，側板の上端部および天板の両端部には、それぞれの板面に対して４５度の角度を有する接合面が形成され，この接合面を密接させる例が示されているにすぎない点。
（相違点２）
　仕切板の取付けに関して，本願発明は，仕切板の取付位置を，枠体内の左右方向の所定位置に変更可能にしたものであり，少なくとも一枚の，着脱可能な結合部材によって固定される固定用の棚板によって，隣接する仕切板又は側板に必ず固定されるのに対し，
　刊行物１記載の発明は，天板と取付板とに対して取付位置が変更可能か否か不明であり，また，仕切板と隣接する側板とは，引き出し等のユニットによって固定されるものであって，着脱可能な結合部材によって固定される固定用の棚板によって側板に固定されるようになっていない点。 
（相違点３）
　本願発明は，側板と仕切板の間の幅一杯，又は／及び，仕切板が二以上の場合における隣接する二つの仕切板間の幅一杯まで収納ボックスを出し入れできるような空間を形成したのに対し，刊行物１記載の発明は，一方の側板と仕切板の間は冷蔵庫等が出し入れ可能であるが，他方の側板と仕切板の間は引出ユニットが固定されており，収納ボックスを出し入れできる空間を形成したものでない点。
　
４　判断
（１）相違点１について
　上記相違点１について検討すると，収納家具において，横勝ち納めの枠体は，例示するまでもなく広く一般に知られている構成であって，かかる構成とすることは，当業者が適宜選択できる単なる設計事項にすぎない。
　
（２）相違点２について
　上記相違点２について検討すると，刊行物２及び刊行物３に記載されているように，収納装置において，その仕切板（「可動板４」，「中仕切板２」）の位置を変更可能として種々の幅の収納物に対応できるようにすることは，周知であり，刊行物１記載の発明において，仕切板を枠体内の左右方向の所定位置に変更可能に取り付けることは当業者が容易に想到しうることである。 
　ここで，刊行物１記載の発明は，引出ユニット２３を、側板１２および仕切板２２の間に挟み入れ，側板１２および仕切板２２と背板２１とに固定するものであるが，記載事項（１ｃ）には，家具は，収納目的に応じて固定棚や引出し等を適宜取り付けて使用されることが示されており，刊行物１記載の発明において，仕切板２２と引出ユニット２３とを固定することが家具の強度を保持するために必須の構成とは認められない。
　そして，刊行物３には，側板と仕切板の間に，側板と仕切板を連結する長さの異なる固定棚を用意し，仕切板と側板を任意の固定棚で連結することが記載されており，刊行物１記載の発明において，仕切板を左右方向に変更可能に取り付けるようにするのに対応して，仕切板と側板とを，引出ユニット２３等に代えて，仕切板の位置に応じた棚板で固定するようにすることは，刊行物３記載の発明に基いて当業者が容易になしうることである。
　
（３）相違点３について
　上記相違点３について検討すると，刊行物１記載の発明は，一方の側板と仕切板の間に冷蔵庫等を出し入れ可能なものであり，また，刊行物１の記載事項（１ｇ）にみられるように，収納家具の一部を，出し入れできる収納ボックスで構成することは周知の技術であるから，一方の側板と仕切板の間に，引出ユニット２３等収納ボックスを出し入れ自在とすることは当業者が容易になしうることである。
　さらに，上記（２）で述べたように，他方の側板と仕切板とを収納ユニットに代えて，棚板で固定することは当業者が容易になしうることであり，この様なものにおいて，固定用の棚板の下方の空間に収納ボックスを出し入れ自在とすることも当業者が容易になしうることである。
　また，クローゼット等の収納装置において，仕切板を二以上設けることも，例えば，刊行物３に記載されているように，よく知られていることであるから，刊行物１記載の発明において，仕切り板を複数設け，二つの仕切板の間に収納ボックスを出し入れできるように構成することも，当業者が容易になし得たことである。
　ここで，相違点３に係る本願発明の「側板と仕切板の間の幅一杯，又は／及び，仕切板が二以上の場合における隣接する前記二つの仕切板間の幅一杯まで収納ボックスを出し入れできるような空間を形成した」という構成について，本願明細書の発明の詳細な説明の段落【００２２】には，次のように記載されている。
　「…また，特にキャスター付きのコンテナ型の収納ボックス（図示を省略した）を床面１００から枠体内に出し入れすることができる。このとき，仕切板１１，１２の下面には仕切板１１，１２の厚さよりはみ出した固定部材は特に設けられていないので，キャスター付きのコンテナ型の収納ボックスのスムースな出し入れが可能になる。つまり，側板１と仕切板１１の間の幅一杯，仕切板１１，１２間の幅一杯，仕切板１２と側板２の間の幅一杯までキャスター付きのコンテナ型の収納ボックスを入れることができる。」
　つまり，本願発明において，「幅一杯まで収納ボックスを出し入れできるような空間を形成した」とは，仕切板の下面にその側部からはみ出すような固定部材を設けないことを意味するものであって，その点においては，刊行物１記載の発明も，かわるものではない。  
　すなわち，刊行物１記載の発明は，仕切板の下面にその側部からはみ出すような固定部材を設けないものであるから，側板と仕切板，あるいは複数の仕切板の間に収納ボックスを入れる場合に，幅一杯まで収納ボックスを入れることができる空間を形成することができるものである。
　したがって，本願発明の相違点３に係る構成は，刊行物１及び刊行物３記載の発明に基いて当業者が容易になしうることである。  
　
（４）作用効果及び判断のむすび　
　そして，本願発明の作用効果は，刊行物１ないし３記載の発明及び周知技術から予測できる程度のことである。
　したがって，本願発明は，刊行物１ないし３記載の発明及び周知技術に基いて当業者が容易に発明をすることができたものである。
　
５　むすび
　以上のとおり，本願発明は，刊行物１ないし３記載の発明及び周知技術に基いて当業者が容易に発明をすることができたものであるから，特許法第２９条２項の規定により特許を受けることができず，本願の他の請求項に係る発明を検討するまでもなく，本願は拒絶をすべきものである。
　よって，結論のとおり審決する。